(57)【特許請求の範囲】
【請求項１】
前面に表示面を有する表示装置と、前記表示装置が収納される背面筐体とを備え、前記背面筐体は、略矩形状の平面部を有し、前記平面部には、前記略矩形状の１辺と平行な立上り部による段差部および立上り部による溝部をそれぞれ左右対称の位置にそれぞれ設け、前記段差部と溝部との間に形成された背面筐体の内側の空間に前記表示装置を制御する制御回路基板を配置し、かつ、前記段差部と溝部の間隔を前記背面筐体の幅の１／５以下に形成したことを特徴とする表示装置構造。
【発明の詳細な説明】
【０００１】
【発明の属する技術分野】
本発明は、携帯型情報処理装置などの平板状表示装置を有する電子機器の表示装置構造に関するものである。
【０００２】
【従来の技術】
近年、液晶表示装置などの平板状表示装置を有するノートパソコンのような携帯型情報処理装置において、その携帯性を高めるため、装置自体の薄型・軽量化が進んでいる。一方では、機械的強度の向上も要求されている。特に液晶表示装置などは衝撃を受けた場合に破損しやすいため、液晶表示装置が収納される背面筐体に強度が要求される。このため、背面筐体の軽量化と強度を両立させるための構造が工夫されている。
【０００３】
図４は、従来の表示装置構造の外観を示す斜視図、図５は、その断面図である。図において、２１は液晶表示装置、２２は液晶表示装置２１の表示面側筐体、２３は液晶表示装置２１の背面筐体、２４は、液晶表示装置２１のバックライトのためのインバータなどの制御回路基板である。背面筐体２３は、平面部２３aに段差部２３ｃを設け、平面部２３ａの中央部を凸状に隆起させている。そして、インバータなどの制御回路基板はそこに配置収納される。
【０００４】
上記構成とすることにより、背面筐体２３の基本肉厚を薄くした場合でも、外力に対しての耐久力を向上させ、軽量化を図ることができる。
【０００５】
なお、特許文献１には背面筐体の形状を円弧状に形成して補強するものが示されている。
【０００６】
【特許文献１】
特開２０００−３１１０３４号公報
【０００７】
【発明が解決しようとする課題】
このような上記従来の表示装置構造においては、下記に挙げる課題があった。
【０００８】
（１）平面部に段差部を設けることにより、背面筐体の強度は増加しているが、薄肉化・軽量化といった観点から、今後は、ますます強度が低下していく方向にあるため、さらなる強度アップが必要である。
【０００９】
（２）背面筐体全体としての強度は確保されるが、段差部間の中央凸状部が広く、背面筐体の中央部が外力によって押圧された場合、背面筐体が内側にたわむという現象が生じる。これによって、中央部に配置された制御回路基板等を加圧し、これらが液晶表示装置へ荷重を加えてしまうことになる。インバータなどの制御回路基板にはトランス・コイルなど、加圧により壊れてしまう部品が実装されており、このために、これらの部品の破壊等とあわせて、液晶表示装置内にある部品同士の摩擦を引き起こし、それら部品を損傷させてしまうことになる。
【００１０】
本発明は、外力に強く、液晶表示装置と背面筐体との間に配置されたインバータなどの制御回路基板や液晶表示装置内にある部品を保護することが可能な表示装置構造を提供することを目的とする。
【００１１】
【課題を解決するための手段】
この課題を解決するために本発明の表示装置構造は、略矩形状の背面筐体の平面部に、その略矩形状の１辺と平行な段差部および溝部をそれぞれ立上り部によってそれぞれ左右対称の位置にそれぞれ設け、前記段差部と溝部との間に形成された背面筐体の内側の空間に前記表示装置を制御する制御回路基板を配置し、かつ、前記段差部と溝部の間隔を前記背面筐体の幅の１／５以下に形成したものである。
【００１２】
これにより、段差部と溝部との間の背面筐体の強度を向上させ、インバータなどの制御回路基板に実装された加圧に弱い部品を保護することができる。
【００１３】
【発明の実施の形態】
本発明は、前面に表示面を有する表示装置と、前記表示装置が収納される背面筐体とを備え、前記背面筐体は、略矩形状の平面部を有し、前記平面部には、前記略矩形状の少なくとも１辺と平行な立上り部による段差部および立上り部による溝部をそれぞれ左右対称の位置に設け、前記段差部と溝部との間に形成された背面筐体の内側の空間に前記表示装置を制御する制御回路基板を配置したことを特徴とする。
【００１４】
本発明は、特に、段差部および溝部が背面筐体の左右対称の位置に設けられていることを特徴とするもので、背面筐体にねじれなどの応力が生じにくい。
【００１５】
また、本発明は、背面筐体の平面部に設けられる段差部と溝部の高さは、段差部と溝部の間隔の１／２０以上であることを特徴とするもので、背面筐体の強度を大きくすることができる。
【００１６】
また、本発明は、背面筐体の平面部に設けられる段差部と溝部の立上り部の傾斜は、前記平面部平面に対して４５〜９０°であることを特徴とするもので、筐体の強度と成形性を両立させることができる。
【００１７】
さらに、本発明は、段差部と溝部によって形成される背面筐体内の空間に制御回路基板を配置したことを特徴とし、この部分の背面筐体のたわみが少なく、制御回路基板を荷重から保護することができる。
【００１８】
また、本発明は、制御回路基板は、発熱を伴う電子部品を実装した基板であることを特徴とするもので、段差部と溝部間に配置されるため、表示装置への熱の影響を少なくすることができ、かつ、段差部と溝部の立上り部が近接しているため、外部への放熱を大きくすることができる。
【００１９】
また、本発明は、制御回路基板は、インバータ基板であることを特徴とするもので、加圧に弱い部品が実装されているインバータ基板を保護することができる。
【００２０】
また、本発明は、背面筐体が金属成型品であることを特徴とするもので、制御回路基板からの放熱をより大きくすることができる。
【００２１】
さらに、本発明は、背面筐体がマグネシウム合金であることを特徴とするもので、軽量化、高強度化を図ることができる。
【００２２】
以下に、本発明の実施の形態を図１から図３を用いて説明する。
【００２３】
（実施の形態１）
図１は、本発明の一実施の形態の表示装置構造の外観を示す斜視図、図２は、断面図、図３は、分解した状態を示す斜視図である。図において、１は液晶表示装置、２は液晶表示装置１の表示面側筐体で液晶表示面部分は開口となっている。３は液晶表示装置１の背面にある、外力から液晶表示装置１等を保護するための背面筐体、４は、液晶表示装置１のバックライトのためのＦＬ管（図示せず）へ電流を供給するインバータなどの制御回路基板である。
【００２４】
背面筐体３は、軽量化と強度の面からマグネシウム合金の成形品が使用され、略矩形状をしており、平面部３ａに該筐体３の側面と平行な段差部３ｂが立上り部３ｄによって形成され、かつ、その段差部３ｂの内側に立上り部３ｅによって溝部部３ｃがそれぞれ左右対称の位置に設けられている。段差部３ｂと溝部３ｃの間隔は、内部に収納する部品の寸法を考慮するが、背面筐体３の幅の１／５以下にし、また、段差部は上記間隔の１／２０以上とることが強度上望ましい。また、段差部３ｂおよび溝部３ｃの立上り部の３ｄ、３ｅの傾斜は、平面部３ａの平面に対して４５〜９０°が成形性と強度の面で望ましい。最適な数値は、表示装置構造が求められる、全体の大きさ、厚み、重量、強度の面等から決定される。
【００２５】
そして、インバータなどの制御回路基板４は段差部３ｂと溝部３ｃの立上り部の３ｄ、３ｅによって背面筐体３の内側に形成されるスペースに配置収納される。
【００２６】
以上のように構成された表示装置構造について説明する。
【００２７】
背面筐体３は、段差部３ｂに加え、さらに溝部３ｃを設けたため、面強度は従来に比べ大幅にアップしている。特に、段差部３ｂと溝部３ｃの間は間隔が背面筐体の幅の１／５以下と狭いため、この間のスペースは特に強固となっている。この部分に外力を加えてもたわみはほとんど生じない。このため、本部分に、加圧に弱い部品を実装しているインバータなどの制御回路基板４等を配置することにより、制御回路基板４等が加圧され変形して液晶表示装置１に荷重が加わるということがなく、制御回路基板４自身に実装された加圧に弱い部品や、表示装置１内の部品に破壊・キズ等を発生させることもない。
【００２８】
また、インバータなどの制御回路基板４に実装された部品は、発熱を伴うが、段差部３ｂと溝部３ｃの立上り部の３ｄ、３ｅによって形成されたスペース内に収納されるため、液晶表示装置１への熱の影響を少なくすることができ、かつ、立上り部３ｄ、３ｅが制御回路基板４に近接しているため、外部への放熱を大きくすることができる。
【００２９】
また、段差部３ｂおよび溝部３ｃが背面筐体３の左右対称の位置に設けられているため、背面筐体３にねじれなどの応力が生じにくい。
【００３０】
【発明の効果】
以上のように本発明によれば、より薄肉化・軽量化を狙っていく際に、課題となる背面筐体の強度について、段差部および溝部を背面筐体の左右対称の位置にそれぞれ設けることにより、その背面筐体の強度をより強い構造とし、そして、この段差部と溝部の間隔を前記背面筐体の幅の１／５以下に形成することにより、この間のスペースは特に強固となり、加圧に弱い制御回路基板や表示装置内にある部品を前記段差部と溝部で形成される背面筐体の内側空間に配置することで、段差部と溝部間に外力が加わっても表示装置内にある制御回路基板や部品に荷重が加わることを防ぎ、保護することができるという、背面筐体の強度の強化とともに、制御回路基板に実装された加圧に弱い部品や装置内の部品を破壊やキズなどから保護するという有益な効果が得られる。
また、段差部および溝部が背面筐体の左右対称の位置にそれぞれ設けられているため、背面筐体にねじれなどの応力が生じにくいという効果をも有する。
【図面の簡単な説明】
【図１】  本発明の一実施の形態の表示装置構造の外観を示す斜視図
【図２】  本発明の一実施の形態の表示装置構造の断面図
【図３】  本発明の一実施の形態の表示装置構造の分解状態を示す斜視図
【図４】  従来の表示装置構造の外観を示す斜視図
【図５】  従来の表示装置構造を示す断面図
【符号の説明】
１  液晶表示装置
２  表示面側筐体
３  背面筐体
３ａ  平面部
３ｂ  段差部
３ｃ  溝部
３ｄ、３ｅ  立上り部
４  制御回路基板
【図１】
0004333206.tif 000002
【図２】
0004333206.tif 000003
【図３】
0004333206.tif 000004
【図４】
0004333206.tif 000005
【図５】
0004333206.tif 000006